(57)【要約】【課題】デモンストレーション動作の実行時には、電波の混信を防止し、消費電力量を低減させつつ、必要に応じて無線による他の通信装置との通信状況を確認することができる通信装置を提供する。【解決手段】本発明に係る親機１は、公衆回線網と接続可能であるとともに、子機２と無線通信可能である。コードレステレフォンのデモ動作の実行を指示するとともに、デモ動作の実行に応じて子機との無線通信を停止させるモード設定指示部５１と、デモ動作中に、フック検出回路１８から入力されたオフフックまたはオンフックの検出結果を受付けたか否かを判定するモード変更監視部５２と、モード変更監視部５２がデモ動作中に、オフフックおよびオンフックの検出結果を受付けたと判定した場合、モード設定指示部５１は、子機２との無線通信を、所定の期間だけ再開させる。【選択図】図１
2010045713.tif 000002
【特許請求の範囲】
【請求項１】
公衆回線網と接続可能であるとともに、該公衆回線網とは異なる通信経路により他の通信装置と無線通信可能な通信装置であって、
当該通信装置が有する各種機能の特徴を顧客に提示するように動作するデモンストレーション動作の実行を指示するとともに、該デモンストレーション動作の実行に応じて他の通信装置との無線通信を停止させる実行指示手段と、
上記デモンストレーション動作の実行中に、所定の入力を受付けたか否かを判定する入力判定手段と、
上記入力判定手段が上記デモンストレーション動作の実行中に所定の入力を受付けたと判定した場合、上記実行指示手段は、停止された他の通信装置との無線通信を、所定の期間だけ再開させることを特徴とする通信装置。
【請求項２】
停止していた他の通信装置との無線通信を再開している間に、上記入力判定手段がさらに上記所定の入力を受付けたと判定した場合、上記実行指示手段は、他の通信装置との無線通信を再開させる期間を延長することを特徴とする請求項１に記載の通信装置。
【請求項３】
当該通信装置において電源のオンを指示する指示情報を受付ける電源指示受付け部と、
上記公衆回線網との接続を検知する回線検知手段とを備え、
上記電源指示受付け部が上記指示情報を受付けてから所定期間経過するまでの間に上記回線検知手段が公衆回線網との接続を検知しなかった場合、上記実行指示手段は、デモンストレーション動作の実行を指示するとともに、該デモンストレーション動作の実行に応じて他の通信装置との無線による通信を停止させることを特徴とする請求項１または２に記載の通信装置。
【請求項４】
外部からの入力指示を受付けるための受付け部を備え、
上記所定の入力とは、上記受付け部により受付けた上記入力指示を示す情報である入力指示情報であることを特徴とする請求項１から３に記載の通信装置。
【請求項５】
他の通信装置との無線通信を確立させるための無線通信制御部を備え、
上記実行指示手段は、上記入力判定手段が、上記デモンストレーション動作の実行中に上記所定の入力を受付けたと判定した場合、所定期間、上記無線通信制御部を起動させ、他の通信装置に対して電波を出力させることを特徴とする請求項１に記載の通信装置。
【請求項６】
公衆回線網と接続可能であるとともに、該公衆回線網とは異なる通信経路により他の通信装置と無線通信可能な通信装置の制御方法であって、
当該通信装置が有する各種機能の特徴を顧客に提示するように動作するデモンストレーション動作の実行を指示するとともに、該デモンストレーション動作の実行に応じて他の通信装置との無線通信を停止させる実行指示ステップと、
上記デモンストレーション動作の実行中に、所定の入力を受付けたか否かを判定する入力判定ステップと、
上記入力判定ステップにおいて、上記デモンストレーション動作の実行中に所定の入力を受付けたと判定した場合、上記実行指示ステップで停止された他の通信装置との無線通信を、所定の期間だけ再開させる再開指示ステップとを含むことを特徴とする通信装置の制御方法。
【請求項７】
コンピュータを請求項１から５のいずれか１項に記載の通信装置の各手段として機能させるための通信装置の制御プログラム。
【請求項８】
請求項７に記載の通信装置の制御プログラムを記録したコンピュータ読み取り可能な記録媒体。
【発明の詳細な説明】
【技術分野】
【０００１】
本発明は、公衆回線網と接続可能であるとともに、該公衆回線網とは異なる通信経路により他の通信装置と無線通信可能な通信装置に関するものである。
【背景技術】
【０００２】
近年、各用途に応じた様々な通信機器が開発されている。このような通信機器の一例としては、携帯電話機が挙げられる。携帯電話機は、その販売競争が激化しており、そのため、各携帯電話機製造メーカは、携帯電話機の機能を向上させたり、多種多様な機能を付加して多機能化させたりするなど、他の携帯電話機と差別化を図っている。
【０００３】
このように機能の差別化が図られるようになると、従来のように店頭に、外観を同一にした見本品を陳列するだけでは、各機能の特徴を顧客に対して十分にアピールすることができない。そこで、実際の携帯電話機を店頭に陳列して顧客に各製品の特徴をアピールするようになっている。
【０００４】
しかしながら、ただ単に、実際の携帯電話機を店頭に陳列するだけでは、新製品の携帯電話機の取り扱いを十分に熟知していない利用者は、この携帯電話機が有する機能を試すことは困難である。また、この携帯電話機がどのような機能を有しているのか、すべて把握することもできない。
【０００５】
そこで、特許文献１では、各携帯電話機が有する機能の特徴を、ユーザに対してよりアピールできるように、実用動作とは別に各種機能の動作特徴を示すデモンストレーション動作を実行する携帯電話機が開示されている。このデモンストレーション動作により、ユーザは携帯電話機が有する機能の特徴を把握したり、実際に各種機能を実行させ体感したりすることができる。
【０００６】
ところで、デモンストレーション動作中に、常時、携帯電話機を利用して他の携帯電話機と通信を確立できるように構成されている場合、この通信を実行する通信処理部を常時起動させておく必要がある。しかしながら、常時、通信処理部を起動させる構成の場合、電力の消費量が大きくなるため、デモンストレーション動作中は、上記通信処理部を起動させずに停止させておく必要がある（例えば、特許文献１）。
【０００７】
また、通信機器が携帯電話機ではなく、親機と子機とからなるコードレステレフォンの場合では、親機と子機との通信で利用される電波と、店員が利用するトランシーバの電波とが互いに干渉しあうというさらなる問題が生じる。このため、店頭に陳列する通信機器が上記コードレステレフォンの場合は、親機と子機との間の通信が確立できないように、親機と子機との間における通信の確立を制御する通信処理部を停止させておく必要がある。
【特許文献１】特開２００２−１１８６３６（２００２年４月１９日公開）
【発明の開示】
【発明が解決しようとする課題】
【０００８】
しかしながら、上記従来の構成では、無線による通信状態を、顧客が店内で確認することができないという問題が生じる。
【０００９】
より具体的には、上記特許文献１に示す構成では、携帯電話機がデモンストレーション動作を行うデモンストレーションモードに設定されている場合、無線通信できないように制御されるため、他の通信装置との間で確立させた無線通信の通信状況、例えば、受信感度や、通話時の音声品質等の情報をユーザが知りえないこととなる。
【００１０】
本発明は、上記の問題点に鑑みてなされたものであり、その目的は、デモンストレーション動作の実行時には、電波の混信を防止し、消費電力量を低減させつつ、必要に応じて無線による他の通信装置との通信状況を確認することができる通信装置、通信装置の制御方法、通信装置の制御プログラム、および通信装置の制御プログラムを記録した記録媒体を実現することにある。
【課題を解決するための手段】
【００１１】
本発明に係る通信装置は、上記した課題を解決するために、公衆回線網と接続可能であるとともに、該公衆回線網とは異なる通信経路により他の通信装置と無線通信可能な通信装置であって、当該通信装置が有する各種機能の特徴を顧客に提示するように動作するデモンストレーション動作の実行を指示するとともに、該デモンストレーション動作の実行に応じて他の通信装置との無線通信を停止させる実行指示手段と、上記デモンストレーション動作の実行中に、所定の入力を受付けたか否かを判定する入力判定手段と、上記入力判定手段が上記デモンストレーション動作の実行中に所定の入力を受付けたと判定した場合、上記実行指示手段は、停止された他の通信装置との無線通信を、所定の期間だけ再開させることを特徴とする。
【００１２】
上記した構成によると、上記実行指示手段を備えているため、上記デモンストレーション動作を実行させ当該通信装置が有する各種機能の特徴を顧客に提示することができる。また、上記各種機能の特徴を顧客に提示している間は、他の通信装置との無線通信を停止させている。このため、例えば、店頭にこの通信装置が配置され、かつ店舗内で店員がトランシーバを利用している状況において、トランシーバから出力する電波と、無線通信時に当該通信装置から出力する電波とが混信してしまうことを防ぐことができる。さらにまた、各種機能の特徴を顧客に提示している間、他の通信装置との無線通信を停止させているため、この通信装置の消費電力量を低減させることができる。
【００１３】
また、上記入力判定手段を備えているため、デモンストレーション動作の実行中に所定の入力を受付けたか否か判定することができる。そして、デモンストレーション動作の実行中に所定の入力を受付けたと判定した場合、他の通信装置との無線による通信を所定の期間だけ再開させることができる。つまり、デモンストレーション動作を実行している最中であっても、必要に応じて他の通信装置との無線通信を確立させることができる。このため、デモンストレーション動作の実行時には他の通信装置との無線通信が停止される場合であっても、必要に応じてこの他の通信装置との無線による通信状況を顧客は確認することができる。
【００１４】
よって本発明に係る通信装置は、上記デモンストレーション動作の実行時には、電波の混信を防止し、消費電力量を低減させつつ、必要に応じて無線による他の通信装置との通信状況を確認することができるという効果を奏する。
【００１５】
本発明に係る通信装置は、上記した構成において、停止していた他の通信装置との無線通信を再開している間に、上記入力判定手段がさらに上記所定の入力を受付けたと判定した場合、上記実行指示手段は、他の通信装置との無線通信を再開させる期間を延長するように構成されていてもよい。
【００１６】
上記した構成によると、停止していた他の通信装置との無線通信を再開している間に、さらに上記所定の入力を受付けたと上記入力判定手段が判定した場合、無線通信を再開させる期間を延長することができる。このため、デモンストレーション動作中に、無線通信を再開させ、他の通信装置との通信状態を確認している最中に無線通信が停止され通信ができなくなってしまうといった状態が生じることを防ぐことができる。
【００１７】
また、本発明に係る通信装置は、上記した構成において、当該通信装置において電源のオンを指示する指示情報を受付ける電源指示受付け部と、上記公衆回線網との接続を検知する回線検知手段とを備え、上記電源指示受付け部が上記指示情報を受付けてから所定期間経過するまでの間に上記回線検知手段が公衆回線網との接続を検知しなかった場合、上記実行指示部は、デモンストレーション動作の実行を指示するとともに、該デモンストレーション動作の実行に応じて他の通信装置との無線による通信を停止させるように構成されていてもよい。
【００１８】
上記した構成によると、上記電源指示受付け部と回線検知手段とを備えるため、通信装置において電源のオンが指示されてから所定期間経過するまでの間に公衆回線網と接続されたかどうか判断することができる。
【００１９】
ここで、通信装置を店頭に配置し、顧客に提示する場合は、電源がオンされても公衆回線網との接続を行わない。一方、通信装置を購入して使用する場合は、電源オンして、公衆回線網と接続させる。このため、電源がオンされても通信装置が公衆回線網に接続されない場合、顧客が通信装置を購入し使用しようとしているのではなく、店頭に配置されているものと想定できる。
【００２０】
したがって、本発明に係る通信装置は、通信装置が店頭販売用に電源が入れられたか否か適切に推定することができ、店頭販売用に電源が入れられたと推定された場合、デモンストレーション動作の実行を指示することができる。
【００２１】
本発明に係る通信装置は、上記した構成において、外部からの入力指示を受付けるための受付け部を備え、上記所定の入力とは、上記受付け部により受付けた上記入力指示を示す情報である入力指示情報であってもよい。
【００２２】
上記した構成によると受付け部を備えるため、顧客が、停止された他の通信装置との無線通信を、所定の期間だけ再開させるように指示する入力指示情報を入力することで、デモンストレーション動作中に無線通信を再開させることがきる。すなわち、顧客の意思を反映させて、停止されている無線通信を再開させることができる。
【００２３】
なお、上記入力指示情報とは、上記無線通信を再開させるように、通信装置に対して直接指示する情報であってもよいし、他の通信装置との無線通信の実行を指示する情報であってもよい。上記入力指示情報が前者の場合、直接的に無線通信の再開を指示することができる。一方、上記入力指示情報が後者の場合、他の通信装置との無線通信を所望することで、間接的に無線通信の再開を指示することができる。
【００２４】
また、上記入力指示情報の入力は、例えば、情報を入力するための操作部を、顧客が直接操作することで実行されてもよいし、赤外線等を介して、さらに別の通信経路を通じて送出された信号を受信することにより実行されてもよい。
【００２５】
本発明に係る通信装置は、上記した構成において、他の通信装置との無線通信を確立させるための無線通信制御部を備え、上記実行指示手段は、上記入力判定手段が、上記デモンストレーション動作の実行中に上記所定の入力を受付けたと判定した場合、所定期間、上記無線通信制御部を起動させ、他の通信装置に対して電波を出力させるように構成されていてもよい。
【００２６】
上記した構成によると、上記入力判定手段が、上記デモンストレーション動作の実行中に上記所定の入力を受付けたと判定した場合、所定期間、上記無線通信制御部を起動させる。このため、逆にこの所定期間以外では、無線通信制御部の起動を停止させておくことができる。したがって、本発明に係る通信装置は、デモンストレーション動作の実行中は、無線通信制御部の起動に伴う消費電力量を低減させることができる。
【００２７】
本発明に係る通信装置の制御方法は、上記した課題を解決するために、公衆回線網と接続可能であるとともに、該公衆回線網とは異なる通信経路により他の通信装置と無線通信可能な通信装置の制御方法であって、当該通信装置が有する各種機能の特徴を顧客に提示するように動作するデモンストレーション動作の実行を指示するとともに、該デモンストレーション動作の実行に応じて他の通信装置との無線通信を停止させる実行指示ステップと、上記デモンストレーション動作の実行中に、所定の入力を受付けたか否かを判定する入力判定ステップと、上記入力判定ステップにおいて、上記デモンストレーション動作の実行中に所定の入力を受付けたと判定した場合、上記実行指示ステップで停止された他の通信装置との無線通信を、所定の期間だけ再開させる再開指示ステップとを含むことを特徴とする。
【００２８】
上記した方法によると、上記実行指示ステップを含むため、上記デモンストレーション動作を実行させ当該通信装置が有する各種機能の特徴を顧客に提示することができる。また、上記各種機能の特徴を顧客に提示している間は、他の通信装置との無線通信を停止させているため、例えば、店頭にこの通信装置が配置され、かつ店舗内で店員がトランシーバを利用している状況おいて、トランシーバから出力する電波と、無線通信時に当該通信装置から出力する電波とが混信してしまうことを防ぐことができる。さらにまた、各種機能の特徴を顧客に提示している間、他の通信装置との無線通信を停止させているため、この通信装置の消費電力量を低減させることができる。
【００２９】
また、上記入力判定ステップを含むため、デモンストレーション動作の実行中に所定の入力を受付けたか否か判定することができる。そして、デモンストレーション動作の実行中に所定の入力を受付けたと判定した場合、再開指示ステップで他の通信装置との無線による通信を所定の期間だけ再開させることができる。つまり、デモンストレーション動作を実行している最中であっても、必要に応じて他の通信装置との無線通信を確立させることができる。このため、デモンストレーション動作の実行時には他の通信装置との無線通信が停止される場合であっても、必要に応じてこの他の通信装置との無線による通信状況を顧客は確認することができる。
【００３０】
よって本発明に係る通信装置の制御方法は、上記デモンストレーション動作の実行時には、電波の混信を防止し、消費電力量を低減させつつ、必要に応じて無線による他の通信装置との通信状況を確認することができるという効果を奏する。
【００３１】
なお、上記通信装置は、コンピュータによって実現してもよく、この場合には、コンピュータを上記各手段として動作させることにより上記通信装置をコンピュータにて実現させる通信装置の制御プログラム、およびそれを記録したコンピュータ読み取り可能な記録媒体も、本発明の範疇に入る。
【発明の効果】
【００３２】
本発明に係る通信装置は、以上のように、公衆回線網と接続可能であるとともに、該公衆回線網とは異なる通信経路により他の通信装置と無線通信可能な通信装置であって、当該通信装置が有する各種機能の特徴を顧客に提示するように動作するデモンストレーション動作の実行を指示するとともに、該デモンストレーション動作の実行に応じて他の通信装置との無線通信を停止させる実行指示手段と、上記デモンストレーション動作の実行中に、所定の入力を受付けたか否かを判定する入力判定手段と、上記入力判定手段が上記デモンストレーション動作の実行中に所定の入力を受付けたと判定した場合、上記実行指示手段は、停止された他の通信装置との無線通信を、所定の期間だけ再開させることを特徴とする。
【００３３】
よって本発明に係る通信装置は、上記デモンストレーション動作の実行時には、電波の混信を防止し、消費電力量を低減させつつ、必要に応じて無線による他の通信装置との通信状況を確認することができるという効果を奏する。
【００３４】
本発明に係る通信装置の制御方法は、以上のように、公衆回線網と接続可能であるとともに、該公衆回線網とは異なる通信経路により他の通信装置と無線通信可能な通信装置の制御方法であって、当該通信装置が有する各種機能の特徴を顧客に提示するように動作するデモンストレーション動作の実行を指示するとともに、該デモンストレーション動作の実行に応じて他の通信装置との無線通信を停止させる実行指示ステップと、上記デモンストレーション動作の実行中に、所定の入力を受付けたか否かを判定する入力判定ステップと、上記入力判定ステップにおいて、上記デモンストレーション動作の実行中に所定の入力を受付けたと判定した場合、上記実行指示ステップで停止された他の通信装置との無線通信を、所定の期間だけ再開させる再開指示ステップとを含むことを特徴とする。
【００３５】
よって本発明に係る通信装置の制御方法は、上記デモンストレーション動作の実行時には、電波の混信を防止し、消費電力量を低減させつつ、必要に応じて無線による他の通信装置との通信状況を確認することができるという効果を奏する。
【発明を実施するための最良の形態】
【００３６】
本発明の一実施形態について図１ないし図１１に基づいて説明すると以下の通りである。すなわち、本実施の形態に係るコードレステレフォン１００は、図２に示すように、親機１とその子機２とを備え、親機１と子機２とは無線通信により通信できるように構成されている。図２は、本発明の実施形態を示すものであり、コードレステレフォン１００の概略構成を示す図である。
【００３７】
ところで、このコードレステレフォン１００が店頭に陳列される場合、顧客が自由に操作感を体験できるように、顧客からの操作指示に応じて特定の機能を実行したり、各種機能の特徴について顧客にアピールする情報を表示したりできる、いわゆるデモンストレーション動作（以下、デモ動作と称する）を実行するように構成されている。コードレステレフォン１００は、このデモ動作によって、店頭販売促進用に製品の特徴をアピールすることができる。
【００３８】
なお、明細書中では、説明の便宜上、コードレステレフォン１００の操作者（店頭での顧客）を、ユーザと称することとする。
【００３９】
また、コードレステレフォン１００において、上記デモ動作が実行されている間は、親機１と子機２との間では無線通信ができないように設定されている。これは、店頭に陳列している間、親機１と子機２とが、無線通信を確立し、常時通信できるように構成されていると、店員が利用するトランシーバの通信を妨害したり、電力消費が大きくなったりするからである。
【００４０】
ただし、後述するが、本実施の形態に係るコードレステレフォン１００では、所定の入力を受付けた場合に限り、その入力をトリガにして一定期間だけ親機１と子機２との間で無線通信を確立させ通信を行うことができるように構成されている。以下において、まず子機２の構成から説明し、次いで親機１の構成を説明する。
【００４１】
（子機の構成）
図２に示すように、子機２は、その外観形状において、子機側アンテナ３０、子機入力操作部３２、子機スピーカ３４、子機マイク３５、および子機表示部３６を備えている。
【００４２】
子機側アンテナ３０は、親機１との通信を確立させるように、電波を送受信するためのものである。子機入力操作部３２は、子機２に情報を入力するための入力手段である。子機入力操作部３２は、例えば、通信相手のダイヤル番号を入力するためのテンキー、内線により親機１との通信の確立を指示する内線ボタン、各種機能を実行させたり、子機表示部３６の表示設定を行ったりするための操作ボタン等を含む。
【００４３】
子機スピーカ３４は、例えば、他の電話機から着信があった場合、この着信を知らせる音声を出力させたり、親機１から送信された音声を出力させたりするものである。子機マイク３５は、他の電話機との通話中に子機２を利用するユーザの音声を入力するためのものである。
【００４４】
子機表示部３６は、着信相手の電話番号、入力した電話番号等、他の電話機との通話に関わる情報や、各種機能の実行操作をガイドするためのメニュー画面等、ユーザが子機２を操作するにあたり必要な情報を表示するものである。
【００４５】
子機２は、上述した子機側アンテナ３０、子機入力操作部３２、子機スピーカ３４、子機マイク３５、および子機表示部３６に加え、図３に示すように、子機主制御部３１、子機記憶装置３３、および子機無線処理部３７をさらに備えてなる構成である。なお、図３は、本発明の実施形態を示すものであり、子機２の要部構成を示すブロック図である。
【００４６】
子機主制御部３１は、子機２が備える各部に対する各種制御処理を行うものである。子機記憶装置３３は、子機２における各種設定に関わる登録情報等を記憶するものであり、例えば、フラッシュメモリ等によって実現できる。
【００４７】
子機無線処理部３７は、子機主制御部３１からの制御指示の下、所定の周波数帯の電波を利用して親機１との通信を確立させるものである。なお、子機無線処理部３７は、無線チューナをその構成に含んでいる。
【００４８】
（親機の構成）
次に、上記した構成を有する子機２と通信を確立する親機１の構成について再度、図２と、図４を参照して説明する。図４は、本発明の実施形態を示すものであり、親機１の要部構成を示すブロック図である。
【００４９】
コードレステレフォン１００が備える親機１は、図２に示すように、その外観形状において、親機側アンテナ１０、送受話器１３、入力操作部１４、親機スピーカ１７、および親機表示部１９を備えている。
【００５０】
親機側アンテナ１０は、子機２との通信を確立させるように、電波を送受信するためのものである。入力操作部１４は、親機１に情報を入力するための入力手段である。入力操作部１４は、例えば、通信相手の電話番号を入力するためのテンキー、内線により子機２との通信の確立を指示する内線ボタン、各種機能を実行させたり、親機表示部１９の表示情報の設定を行ったりするための操作ボタン等を含む。
【００５１】
親機スピーカ１７は、例えば、他の電話機から着信があった場合、この着信を知らせる音声を出力させるためのものである。
【００５２】
親機表示部１９は、着信相手の電話番号、入力した電話番号等、他の電話機との通話に関わる情報や、各種機能の実行操作をガイドするためのメニュー画面等、ユーザが親機１を操作するにあたり必要な情報を表示するものである。さらに親機表示部１９は、本実施の形態に係るコードレステレフォン１００がデモ動作を実行している場合、コードレステレフォン１００が有する各種機能の特徴に関する情報が表示される。
【００５３】
親機１は、上述した親機側アンテナ１０、送受話器１３、入力操作部１４、親機スピーカ１７、および親機表示部１９に加え、図４に示すように、網制御部１２、親機記憶装置１５、トーン送出・検出回路１６、フック検出回路１８、外部通信制御部２０、親機無線処理部２１、親機主制御部２２、および計時部２３をさらに備える。
【００５４】
網制御部１２は、親機主制御部２２からの制御指示に応じて回線の確立および切断を実行するものである。また、網制御部１２は、他の通信装置からの着信を検出するものでもある。
【００５５】
親機記憶装置１５は、親機１における各種設定に関わる登録情報等を記憶するものであり、例えば、フラッシュメモリ等によって実現できる。また、親機記憶装置１５には、デモ動作実行中に、親機表示部１９に表示させる、コードレステレフォン１００が有する機能の特徴を説明するための画像データ（デモ用データ）も記憶している。
【００５６】
トーン送出・検出回路１６は、親機１を公衆回線網に接続するために回線を自動設定する際に、親機主制御部２２からの制御指示に応じてトーンを送出したり、ダイヤルトーンを検出したりする回路である。また、トーン送出・検出回路１６は、ダイヤルトーンを検出すると、その検出結果を親機主制御部２２に通知する。
【００５７】
フック検出回路１８は、送受話器１３の上下、すなわちオフフックまたはオンフックを検出するための回路である。フック検出回路１８は、検出結果を親機主制御部２２に送信する。
【００５８】
外部通信制御部２０は、親機主制御部２２からの制御指示の下、赤外線を利用した近距離通信により他の装置と接続を確立させるためのものである。
【００５９】
親機無線処理部２１は、親機主制御部２２からの制御指示の下、所定の周波数帯の電波を出力して、子機２との通信を確立させるものである。なお、親機無線処理部２１は、無線チューナを含んでいる。
【００６０】
親機主制御部２２は、親機１が備える各部に対する各種制御処理を行うものである。親機主制御部２２の詳細については後述する。
【００６１】
計時部２３は、現在の時刻を計測したり、親機主制御部２２からの指示に応じて所定時間の経過を計測したりするものである。
【００６２】
（親機のソフトウェア構成について）
次に、デモ動作を行う際の親機１の動作モードであるデモンストレーションモード（以下、デモモードと称する）の設定処理に関わる構成について図１を参照して説明する。図１は、本発明の実施形態を示すものであり、デモモード設定処理に関する親機１のソフトウェア構成を示すブロック図である。
【００６３】
図１に示す本実施の形態に係る親機１は、デモモード設定処理を実現する機能ブロックとして、モード設定指示部５１、モード変更監視部５２、時間設定監視部５３、および回線検出部５４を備えてなる構成である。なお、これら機能ブロックは、親機主制御部２２がＣＰＵの場合、このＣＰＵが不図示のＲＯＭに格納されたプログラムをＲＡＭ等に読出し実行することで実現できる。
【００６４】
モード設定指示部５１は、親機１の動作モードをデモモードに設定したり、動作モードをデモモードから通常の使用状態である通常モードに移行させたりするものである。より具体的には、モード設定指示部５１は、入力操作部１４から電源をＯＮする旨の指示を受付けると、親機１の動作モードをデモモードに設定するように各部を制御する。つまり、モード設定指示部５１は、電源ＯＮの指示を受付けると、その時点から所定時間経過するまでの期間を計測するように時間設定監視部５３に指示する。
【００６５】
ここで、上記時間設定監視部５３により計測されている所定時間内に、後述する回線検出部５４から、親機１が公衆回線網に接続された旨の判定結果を受付けなかった場合、モード設定指示部５１は、親機無線処理部２１の起動を停止させる。そして、モード設定指示部５１は、親機記憶装置２５に記憶されたデモモード用データを読出し、親機表示部１９に表示させる。
【００６６】
このように動作モードをデモモードに設定すると、デモモード設定完了の通知を、モード設定指示部５１は、モード変更監視部５２に対して送信する。
【００６７】
モード変更監視部５２は、モード設定指示部５１から、上記デモモード設定完了の通知を受付けると、デモモード設定中に所定の入力を受付けたか否か監視するものである。モード変更監視部５２は、デモモード設定中に、所定の入力を受付けた場合、停止させている親機無線処理部２１を一定期間だけ起動させ、子機２との無線による通信を実行できるようにする。
【００６８】
より具体的には、デモモード設定中に、所定の入力としてフック検出回路１８が、送受話器１３が持ち上げられオフフックされた状態を検出すると、モード設定指示部５１に指示して、親機無線処理部２１を起動させ子機２対して電波を出力させる。そして、持ち上げた送受話器１３が下ろされオンフックされた状態をフック検出回路１８が検出すると、時間設定監視部５３に指示して、送受話器１３がオンフックされた時点から一定時間の経過を計測するように指示する。そして、一定時間の経過が計測されると、モード変更監視部５２は、モード設定指示部５１に対して、起動させた親機無線処理部２１を再度、停止させるように指示する。
【００６９】
時間設定監視部５３は、モード設定指示部５１またはモード変更監視部５２から受付けた指示に応じて、所定時間の経過の計測を計時部２３に対して指示するものである。
【００７０】
回線検出部５４は、トーン送出・検出回路１６の検出結果に応じて、親機１が公衆回線網と接続されたか否か判定するものである。すなわち、回線検出部５４は、トーン送出・検出回路１６からダイヤルトーンを検出した旨の検出結果を受信すると、公衆回線網と接続されたと判定する。このように公衆回線網と接続されたと判定すると、回線検出部５４は、網制御部１２およびトーン送出・検出回路１６を制御して公衆回線網を通じて他の電話機と通話を行うことができるように回線設定を行う。また、回線検出部５４は、親機１が公衆回線網に接続されたと判定すると、その判定結果をモード設定指示部５１に送信するものでもある。なお、この回線検出部５４とトーン送出・検出回路１６とによって、本発明の回線検出手段を実現する。
【００７１】
（デモモード）
上記した構成を備えた親機１において設定されるデモモードについて図５から図７を参照してより詳細に説明する。図５は、本発明の実施形態を示すものであり、親機１におけるデモモードを説明する図である。図６は、本発明の実施形態を示すものであり、デモモードにおいて子機２との間で無線通信可能な状態となった場合について説明する図である。図７は、デモモードが終了し、コードレステレフォン１００の通常の使用状態、すなわち通常モードへと設定モードが移行する場合を示す図である。
【００７２】
本実施の形態に係るコードレステレフォン１００の親機１では、上述したように、電源がＯＮされ所定時間経過するまでの間に回線検出部５４から、親機１が公衆回線網に接続された旨の判定結果を受付けなかった場合、モード設定指示部５１は、親機無線処理部２１の起動を停止させ、親機記憶装置２５に記憶されたデモモード用データを読出し、親機表示部１９に表示させデモモードに設定変更するように構成されている。
【００７３】
親機１は、デモモードに設定変更されると、親機１と子機２との間の通信を確立させるための電波の出力を停止させる。そして、図５に示すようにデモ動作と回線検出動作とを１セットとし、このセットを定期的に繰返す。
【００７４】
なお、回線検出動作とは、親機１が公衆回線網に接続されたか否かを調べるために回線の検出を行う動作であり、トーン送出・検出回路１６の検出結果に基づき親機主制御部２２の回線検出部５４により回線の検出有無が判断される。
【００７５】
このようにデモモードにおいて、デモ動作と回線検出動作とのセットが繰返されている状態において、ユーザが親機１の送受話器１３を持ち上げると、フック検出回路１８は、オフフックされた旨を検出し、検出結果を親機主制御部２２に送信する。
【００７６】
親機主制御部２２では、フック検出回路１８による検出結果をモード変更監視部５２が受信し、モード設定指示部５１に対して、親機無線処理部２１を起動させるように指示する。この指示に応じて、親機無線処理部２１は、子機２との無線通信を開始できるように電波を出力する（図６参照）。
【００７７】
ユーザによって持ち上げられた送受話器１３が元の位置にもどされ、フック検出回路１８がオンフックされた旨を検出すると、この検出結果をモード変更監視部５２に送信する。モード変更監視部５２は、フック検出回路１８からオンフックされた旨の検出結果を受信すると、電波を出力させる時間を一定時間（３分）に設定する。そして、オンフックされた時点から設定した３分間の経過を監視するように時間設定監視部５３に指示する。
【００７８】
時間設定監視部５３が３分間経過したと判定すると、その旨をモード変更監視部５２に通知する。モード変更監視部５２は、時間設定監視部５３からの通知に応じて、無線通信を停止させ、デモ動作と回線検出動作とのセットを繰返すようにモード設定指示部５１に指示する。
【００７９】
モード設定指示部５１は、モード変更監視部５２からの指示に応じて、親機無線処理部２１の起動を停止させ、デモ動作と回線検出動作とを実行させる。すなわち、図５に示すように、無線通信を停止させ、デモ動作と回線検出動作とのセットを繰返す。
【００８０】
以上のようにして、デモモードに設定されている場合であっても、送受話器１３のオフフックおよびオンフックによって、一定期間、電波を出力し、子機２との無線通信を行うことができる。
【００８１】
なお、デモモード設定中に公衆回線網と接続され回線設定がなされると図７に示すように親機１の動作モードはデモモードから通常モードに移行するようになっている。すなわち、回線検出動作において、トーン送出・検出回路１６がダイヤルトーンを検知すると、回線検出部５４は、親機１が公衆回線網に接続されたと判定する。そして、モード設定指示部５１に、親機１の動作モードをデモモードから通常モードに変更するように指示する。
【００８２】
モード設定指示部５１は、回線検出部５４からの指示に応じて、親機表示部１９に表示させている親機１の機能の特徴を説明する表示を停止させるとともに、親機無線処理部２１を起動させ子機２に対して電波を出力するように制御する。
【００８３】
（デモモードの処理フロー）
上記した構成を有するコードレステレフォン１００において、デモモードにおける親機１の処理の流れについて図８に示すフローチャートを参照して説明する。図８は、本発明の実施形態を示すものであり、デモモードにおける親機１の処理フローを示すフローチャートである。
【００８４】
まず前提として親機１は、電源がオンされ所定時間経過したため、デモモードに設定されたものとする。デモモードに設定されると、親機１では、デモ動作を実行するため、モード設定指示部５１が、親機無線処理部２１に指示して電波の出力をＯＦＦさせる（ステップＳ１１、これ以降Ｓ１１と称する）。さらにモード設定指示部５１は、親機表示部１９にデモ用データに基づく表示を行うように制御する。
【００８５】
次いで、回線検出動作として、回線検出部５４が、トーン送出・検出回路１６による検出結果に基づき、ダイヤルトーンの検出があったか否か判定する。すなわち、親機１が公衆回線網に接続されるように回線設定がなされたか否か判定する（Ｓ１２）。ここで、回線検出部５４が、親機１が公衆回線網に接続されるように回線設定されていると判定した場合（ステップＳ１２において「ＹＥＳ］）、モード設定指示部５１は、デモモードから通常モードへと移行させる（Ｓ１９）。一方、ステップＳ１２において「ＮＯ」の場合、モード変更監視部５２は、フック検出回路１８による検出結果から、送受話器１３が持ち上げられオフフックされたか否かする監視する。
【００８６】
モード変更監視部５２が、親機１がオフフック状態に無いと判定している間（ステップＳ１３において「ＮＯ」）は、ステップＳ１２から処理を繰返す。
【００８７】
一方、モード変更監視部５２が、親機１がオフフックされたと判定すると（ステップＳ１３において「ＹＥＳ」）、その判定結果をモード設定指示部５１に通知する。モード設定指示部５１は、モード変更監視部５２からの通知に応じて、親機無線処理部２１を起動させ電波をＯＮする（Ｓ１４）。
【００８８】
さらに、モード変更監視部５２が、フック検出回路１８から受信した検出結果に基づき、オンフックされたか否か判定する（Ｓ１５）。すなわち、モード変更監視部５２は、親機１がオンフック状態に無いと判定している間（ステップＳ１５において「ＮＯ」）、オンフックされるのを待ち受ける。
【００８９】
ここで、モード監視部５２が、オンフックされたと判定した場合（Ｓ１５において「ＹＥＳ」）、オンフックされた時点を起点に一定時間（３分間）を設定する（Ｓ１６）。そして、モード変更監視部５２は、時間設定監視部５３に対して、その設定した時間の経過を計測するように指示する。この指示に応じて、時間設定監視部５３は、一定時間の経過を監視する。
【００９０】
ここで、時間設定監視部５３が、一定時間経過しと判定した場合（Ｓ１７において「ＹＥＳ」）、ステップＳ１１に戻って処理を繰返す。
【００９１】
一方、一定時間経過していない間では、モード変更監視部５２が新たにオフフックされたか、フック検出回路１８から送信される検出結果を監視する（Ｓ１８）。この監視は、一定時間が経過するまで継続される。
【００９２】
一定時間経過するまでに、モード変更監視部５２が新たにオフフックされたと判定すると、すなわち、新たなオフフックを検出すると（Ｓ１８において「ＹＥＳ」）、ステップＳ１５に戻り、再度、オンフックされるのを待ち受ける。そして、モード変更監視部５２が、オンフックされたと判定すると（Ｓ１５において「ＹＥＳ」）、電波をＯＮする一定時間を再設定しなおし（Ｓ１６）、ステップＳ１７においてこの再設定された一定時間の経過を時間設定監視部５３が監視する。
【００９３】
この再設定される一定時間としては、例えば、最初に設定した３分間から経過時間を差引いた残時間に、新たに３分を加えた時間とする。
【００９４】
以上のように、本実施の形態に係るコードレステレフォン１００では、デモモードに動作モードが設定されている場合、親機無線処理部２１の起動を停止させ、親機１から子機２へ出力する電波をＯＦＦする構成である。このため、店舗内において店員が利用するトランシーバの通信を妨害したり、親機１が消費する電力が大きくなったりすることを防ぐことができる。
【００９５】
また、デモモードに動作モードが設定されている場合であっても、所定の入力（オフフックおよびオンフック）が検出された場合、一定期間、すなわち３分間だけ、親機無線処理部２１を起動させ、子機２と無線通信可能とすることができる。このため、ユーザは、親機１と子機２との無線による通信状態、例えば、音声品質や受信感度等を実際に確かめることができる。
【００９６】
ところで、上記した親機１では、デモモード中に、親機１と子機２との間で無線通信可能とする所定の入力としてオフフックおよびオンフックの場合を例に挙げて説明した。しかしながら、この所定の入力は、これに限定されるものではなく、入力操作部１４による操作指示の入力であってもよい。このように構成される場合、親機１のデモモード設定処理に関するソフトウェア構成は、図９のようになる。図９は、本発明の実施形態を示すものであり、デモモード設定処理に関する親機１の別のソフトウェア構成を示すブロック図である。
【００９７】
すなわち、親機１のデモモード設定中に、モード変更監視部５２は、オフフックおよびオンフックの検出の有無の代わりに、入力操作部１４からの操作指示の入力の有無を監視する点でのみ異なる。そして、デモモード設定中に、入力操作部１４から操作指示の入力を検知すると、モード変更監視部５２は、モード設定指示部５１に対して、停止している親機無線処理部２１の起動を指示する。
【００９８】
なお、上記入力操作部１４から入力される操作指示としては、子機２との内線電話を指示する操作指示であることが好ましい。そして、デモモードに設定されている親機１においてユーザが子機２との内線電話を試みようと内線ボタンを押下すると、親機１と子機２との間で無線通信が可能となるように構成されていることが好適である。つまり、デモモード設定中に子機２との無線による通信を確立させるために、複雑な入力を要求する構成の場合は、ユーザに多大な負担を強いることとなり不都合である。
【００９９】
また、デモモード設定中において、一定期間だけ親機１と子機２との間で無線通信を確立させ通信を行うための所定の入力を、上記操作指示とする場合における、デモモード処理の流れは、図１０に示すようになる。図１０は、本発明の実施形態を示すものであり、デモモードにおける親機１の別の処理フローを示すフローチャートである。
【０１００】
ステップＳ２１からＳ２２まで、ならびにＳ２８の処理は図８に示すフローチャートのステップＳ１１からＳ１２まで、ならびにＳ１９と同様であるため、その説明は省略する。ステップＳ２２において、回線検出部５４が、トーン送出・検出回路１６による検出結果に基づき、ダイヤルトーンの検出がなかったと判定した場合、すなわち、親機１が公衆回線網に接続されるように回線設定がなされなかった場合、モード変更監視部５２は、入力操作部１４から子機２との内線電話を指示する操作指示（キー操作）を受付けたか否か判定する（Ｓ２３）。モード変更監視部５２は、入力操作部１４からキー操作を受付けたと判定した場合（Ｓ２３において「ＹＥＳ」）、その判定結果をモード設定指示部５１に通知する。モード設定指示部５１は、モード変更監視部５２からの通知に応じて、親機無線処理部２１を起動させ電波をＯＮする（Ｓ２４）。一方、モード変更監視部５２が、入力操作部１４からのキー操作を受付けていない間（ステップＳ２３において「ＮＯ」）は、ステップＳ２２から処理を繰返す。
【０１０１】
ステップＳ２４において電波をＯＮすると、モード変更監視部５２は、電波をＯＮしておく期間を設定する。すなわち、電波をＯＮする一定時間の設定を行う（Ｓ２５）。そして、モード変更監視部５２は、時間設定監視部５３に対して、その設定した時間の経過を計測するように指示する。この指示に応じて、時間設定監視部５３は、一定時間の経過を監視する。ここで、時間設定監視部５３が、一定時間経過しと判定した場合（Ｓ２６において「ＹＥＳ］）、ステップＳ２１に戻って処理を繰返す。一方、一定時間経過していない間では、モード変更監視部５２が、入力操作部１４から新たなキー操作が入力されたか監視する（Ｓ２７）。この監視は、一定時間が経過するまで継続される。
【０１０２】
一定時間経過するまでに、モード変更監視部５２が新たなキー操作による入力を受付けたと判定すると（Ｓ２７「ＹＥＳ」）、電波をＯＮする一定時間を再設定しなおし（Ｓ２５）、ステップＳ２６においてこの再設定された一定時間の経過を時間設定監視部５３が監視する。
【０１０３】
なお、上述の説明では、デモモード設定中に、親機１と子機２との間で無線通信可能とする所定の入力として、オフフックおよびオンフックの場合、あるいは、入力操作部１４のキー操作により入力された操作指示である場合について説明したが、これに限るものではない。上記所定の入力として、オフフックおよびオンフックと、入力操作部１４から入力された操作指示とを組み合わせたものであってもよい。例えば、図８に示すフローチャートにおいて、ステップＳ１２の後にキー操作の有無を判定し、入力操作部１４のキー操作による入力があった場合でかつ、オフフックされた場合（Ｓ１３において「ＹＥＳ」の場合）に電波をＯＮとする（Ｓ１４）ように構成されていてもよい。
【０１０４】
また、上記所定の入力は、オフフックおよびオンフック、ならびに入力操作部１４のキー操作による入力に限定されるものではない。例えば、所定の入力として、外部通信制御部２０が、他の通信装置から赤外線を受光した場合、親機１と子機２との間の無線通信を一定時間だけ可能とする構成としてもよい。
【０１０５】
また、上述した親機１では、デモモード設定中に親機無線処理部２１を停止させ、子機２に対して電波を出力させない構成であったが、外部通信制御部２０も停止させ、赤外線による他の装置との通信も実行できないように構成してもよい。そして、このようにデモモード設定中に外部通信制御部２０を停止させる構成において、所定の入力を受付けた場合に、外部通信制御部２０を一定時間起動させるように構成してもよい。
【０１０６】
また、上述の説明では、親機１と子機２との間における無線通信をデモモード中に停止させる例について述べたが、親機１と子機２との関係ではなく、図１１に示すように両者が、Ｂｌｕｅｔｏｏｔｈ（登録商標）、Ｗｉ−Ｆｉ（登録商標）などを利用した無線通信により接続を確立できる、通信端末２００・３００であってもよい。そして、一方の通信端末（図１１では通信端末２００）がデモモード設定中の場合、上記無線通信による接続ができないように構成され、所定の入力に応じてのみ、一定時間だけ無線通信による接続か可能となるように構成してもよい。なお、図１１は、本発明の他の実施形態を示すものであり、コードレステレフォン１００における親機１と子機２との代わりに、異なる通信端末２００・３００を備えたシステムの一例を示す図である。
【０１０７】
また、上述の説明では、本実施の形態に係るコードレステレフォン１００の親機１は、公衆回線網との接続の有無を、トーン送出・検出回路１６のダイヤルトーンの検出に応じて判定する構成であった。しかしながら、回線検出部５４が、網制御部１２による回線の確立および切断に関する動作を監視し公衆回線網との接続の有無を判定する構成であってもよい。
【０１０８】
なお、コードレステレフォン１００の各ブロック、特にコードレステレフォン１００が備える親機１が有するモード設定指示部５１、モード変更監視部５２、時間設定監視部５３、および回線検出部５４は、ハードウェアロジックによって構成してもよいし、次のようにＣＰＵを用いてソフトウェアによって実現してもよい。
【０１０９】
すなわち、親機１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである親機１の制御プログラムのプログラムコード（実行形式プログラム、中間コードプログラム、ソースプログラム）をコンピュータで読み取り可能に記録した記録媒体を、上記親機１に供給し、そのコンピュータ（またはＣＰＵやＭＰＵ）が記録媒体に記録されているプログラムコードを読み出し実行することによっても、達成可能である。
【０１１０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１１１】
本発明に係る通信装置は、デモンストレーション動作の実行中、停止している他の通信装置との無線通信を所定期間だけ再開できる。このため、デモンストレーション動作中に、実行が制限されている通信の制限を一時解除する用途に広く適用できる。
【図面の簡単な説明】
【０１１２】
【図１】本発明の実施形態を示すものであり、デモモード設定処理に関する親機のソフトウェア構成を示すブロック図である。
【図２】本発明の実施形態を示すものであり、コードレステレフォンの概略構成を示す図である。
【図３】本発明の実施形態を示すものであり、子機の要部構成を示すブロック図である。
【図４】本発明の実施形態を示すものであり、親機の要部構成を示すブロック図である。
【図５】本発明の実施形態を示すものであり、親機におけるデモモードを説明する図である。
【図６】本発明の実施形態を示すものであり、デモモードにおいて子機との間で無線通信可能な状態となった場合について説明する図である。
【図７】本発明の実施形態を示すものであり、デモモードが終了し、コードレステレフォンの通常の使用状態、すなわち通常モードへと設定モードが移行する場合を示す図である。
【図８】本発明の実施形態を示すものであり、デモモードにおける親機の処理フローを示すフローチャートである。
【図９】本発明の実施形態を示すものであり、デモモード設定処理に関する親機の別のソフトウェア構成を示すブロック図である。
【図１０】本発明の実施形態を示すものであり、デモモードにおける親機の別の処理フローを示すフローチャートである。
【図１１】本発明の他の実施形態を示すものであり、コードレステレフォンにおける親機と子機との代わりに、異なる通信端末を備えたシステムの一例を示す図である。
【符号の説明】
【０１１３】
１    親機（通信装置）
２    子機（他の通信装置）
１２  網制御部
１３  送受話器
１４  入力操作部（電源指示受付け部・受付け部）
１６  トーン送出・検出回路（回線検出手段）
１８  フック検出回路（受付け部）
２０  外部通信制御部（受付け部）
２１  親機無線処理部（無線通信制御部）
２２  親機主制御部
３１  子機主制御部
３２  子機入力操作部
３３  子機記憶装置
３７  子機無線処理部
５１  モード設定指示部（実行指示手段）
５２  モード変更監視部（入力判定手段）
５３  時間設定監視部
５４  回線検出部（回線検出手段）
１００  コードレステレフォン
２００  通信端末
３００  通信端末
【図１】
2010045713.tif 000003
【図２】
2010045713.tif 000004
【図３】
2010045713.tif 000005
【図４】
2010045713.tif 000006
【図５】
2010045713.tif 000007
【図６】
2010045713.tif 000008
【図７】
2010045713.tif 000009
【図８】
2010045713.tif 000010
【図９】
2010045713.tif 000011
【図１０】
2010045713.tif 000012
【図１１】
2010045713.tif 000013